【手続補正書】
【提出日】平成16年11月29日(2004.11.29)
【手続補正１】
【補正対象書類名】明細書
【補正対象項目名】特許請求の範囲
【補正方法】変更
【補正の内容】
【特許請求の範囲】
【請求項１】
低温流体を収容するデュワー容器と、
所望のヒータ発熱量の供給をあらわす値を記憶するワット所望レジスタを備えたマイクロプロセッサと、
搭載標準に適合し、１又は複数のヒータ制御部材を介して該マイクロプロセッサに結合され、該低温流体に配置された１又は複数の低容量ヒータと、
１又は複数の追加のヒータ制御部材を介して該マイクロプロセッサに結合され、該低温流体に配置された１又は複数の高容量ヒータと、
該１又は複数の低容量ヒータ及び該１又は複数の高容量ヒータを該ワット所望レジスタに記憶された前記値に従って駆動するために該ヒータ制御部材を制御するヒータ制御手順とを備えたことを特徴とする冷却システム。
【請求項２】
該１又は複数の高容量ヒータは該高容量ヒータを形成するために組合せの複数の低容量ヒータからなることを特徴とする請求項１に記載の冷却システム。
【請求項３】
該ヒータ制御部材はトライアックからなることを特徴とする請求項１に記載の冷却システム。
【請求項４】
低容量ヒータ記憶レジスタと、
高容量ヒータ記憶レジスタと、
該低容量ヒータ記憶レジスタ及び該高容量ヒータ記憶レジスタに記憶された値に基づいて次に駆動されるヒータを決めるための手段とをさらに備えたことを特徴とする請求項１に記載の冷却システム。
【請求項５】
該ヒータ制御手順は該低容量ヒータ記憶レジスタに最も最近に使用された低容量ヒータをあらわす値を記憶し、且つ該高容量ヒータ記憶レジスタに最も最近使用された高容量ヒータをあらわす値を記憶することを特徴とする請求項４に記載の冷却システム。
【請求項６】
該次に駆動される低容量ヒータは最も前に使用された低容量ヒータであり、該次に駆動される高容量ヒータは最も前に使用された高容量ヒータであることを特徴とする請求項５に記載の冷却システム。
【請求項７】
該複数の低容量ヒータは二進法の数え方によってヒータグループにグループ分けされていることを特徴とする請求項２に記載の冷却システム。
【請求項８】
該低容量ヒータは公称で１００Ｗの発熱量を供給することを特徴とする請求項１に記載の冷却システム。
【請求項９】
該高容量ヒータは公称で２００Ｗの発熱量を供給することを特徴とする請求項１に記載の冷却システム。
【請求項１０】
温度制御システムにおいてヒータサブシステムの複数のヒータの駆動を制御する方法であって、
（ａ）ヒータサブシステムによって供給されるべき所望発熱量を定め、
（ｂ）該所望発熱量の値をワット所望レジスタに記憶し、
（ｃ）該値が該ヒータによって公称的に供給される発熱量よりも大きいときに複数のヒータの一つを駆動し、
（ｄ）該値から該ヒータによって公称的に供給される発熱量を引いてその結果を得、
（ｅ）該結果を新しい値として該ワット所望レジスタに記憶し、
（ｆ）（ｉ）該複数のヒータのうちで駆動されるヒータがなくなるか、又は（ii）該ワット所望レジスタに残っている値が該複数のヒータのどのヒータによって公称的に供給される発熱量よりも小さくなるまで、該ステップ（ｃ）及び（ｄ）を繰り返すことを特徴とする方法。
【請求項１１】
該ヒータサブシステムは少なくとも１つの低容量ヒータと少なくとも１つの高容量ヒータとを含み、
（ｇ）該ステップ（ｃ）からステップ（ｅ）に従って該少なくとも１つの高容量ヒータを割り当て、
（ｈ）該ステップ（ｃ）からステップ（ｅ）に従って該少なくとも１つの低容量ヒータを割り当てる、ステップをさらに含むことを特徴とする請求項１０に記載の方法。
【請求項１２】
該ステップ（ｈ）はステップ（ｇ）の後に行われることを特徴とする請求項１１に記載の方法。
【請求項１３】
該ワット所望レジスタに記憶される値を該複数のヒータの１つである可変のヒータによって公称的に供給される発熱量で割って得られた商と実質的に等しい分数値を定め、
該可変ヒータが駆動される間に利用されるパワーサイクルの数の一部をパワーサイクルの合計数で割ったものに相当する第２の商が該第１の商と実質的に等しくなるように、該可変ヒータをパワーサイクル数の一部の間駆動する、ステップをさらに備えたことを特徴とする請求項１０に記載の方法。
【請求項１４】
（ｉ）該ヒータを増加する二進法の数を有するヒータグループにグループ分けし、
（ｊ）該ステップ（ｃ）からステップ（ｅ）に従って該ヒータグループのヒータを駆動することを特徴とことを特徴とする請求項１１に記載の方法。
【請求項１５】
所望の冷却を達成するために１又は複数のヒータに十分な電流を流すために１又は複数のヒータ制御部材に制御信号を送ることよって、低温流体を収容するデュワー容器に配置された１又は複数のヒータに供給されるＡＣ電流を制御するためのヒータ制御装置であって、
所望の量の電流を流すために該ヒータ制御部材を駆動するために該ヒータ制御部材に接続されたマイクロプロセッサと、
該電流に応答する該１又は複数のヒータの駆動が搭載の標準に適合するように該ワット所望レジスタに記憶された値に従って該１又は複数のヒータに電流を流させるために該マイクロプロセッサから該ヒータ制御部材の各々に制御信号を伝達させるために該マイクロプロセッサで実施されるヒータ制御手順とを備え、
該１又は複数のヒータは少なくとも１つの低容量ヒータと少なくとも１つの高容量ヒータとを含み、
さらに、ヒータが供給するように望まれる動的な発熱量を備え、
該ヒータ制御手順は、該少なくとも１つの低容量ヒータを駆動する少なくとも１つの低容量ヒータ制御装置と、該少なくとも１つの高容量ヒータを駆動する少なくとも１つの高容量ヒータ制御装置とを含むことを特徴とするヒータ制御装置。
【請求項１６】
該少なくとも１つの高容量ヒータは複数の低容量ヒータからなることを特徴とする請求項１５に記載のヒータ制御装置。
【請求項１７】
該低容量ヒータ制御装置は、
（ａ）該ワット所望レジスタに記憶されている値が低容量ヒータから公称的に供給される発熱量よりも小さいかどうかを調べる判定手段と、
（ｂ）該判定手段が該値が低容量ヒータから公称的に供給される発熱量よりも小さいと判定したときに該低容量ヒータの第１のものに電流を供給するために該ヒータ制御部材の第１のものに第１の制御信号を送るための手段と、
（ｃ）該ワット所望レジスタから低容量ヒータから公称的に供給される発熱量を引いて第１の結果を得るための手段と、
（ｄ）該第１の結果を該ワット所望レジスタに記憶するための手段と、
（ｅ）該ワット所望レジスタにユーザーの所望するワットをあらわす値を加えて第２の結果を得るための手段と、
（ｆ）該第２の結果を該ワット所望レジスタに記憶するための手段と備えることを特徴とする請求項１５に記載のヒータ制御装置。
【請求項１８】
該低容量ヒータ制御装置は、該値が低容量ヒータから公称的に供給される発熱量よりも小さくなるまで該手段（ａ）から（ｅ）を繰り返し適用する手段をさらに備えることを特徴とする請求項１７に記載のヒータ制御装置。
【請求項１９】
該高容量ヒータ制御装置は、
（ａ）該値が高容量ヒータから公称的に供給される発熱量より大きいか等しいことを調べるための判定手段と、
（ｂ）該判定手段が該値が高容量ヒータから公称的に供給される発熱量より大きいか等しいことを示したときに該高容量ヒータの１つに制御信号を送る手段と、
（ｃ）結果を得るために該ワット所望レジスタから高容量ヒータから公称的に供給される発熱量を引く引き算手段と、
（ｄ）該結果を該ワット所望レジスタに記憶する手段とをさらに含むことを特徴とする請求項１５に記載のヒータ制御装置。
【請求項２０】
該高容量ヒータ制御装置は、該値が高容量ヒータから公称的に供給される発熱量よりも小さくなるまで該手段（ａ）から（ｅ）を繰り返し適用する手段をさらに備えることを特徴とする請求項１９に記載のヒータ制御装置。
【請求項２１】
該標準はＩＥＣ標準であることを特徴とする請求項１５に記載のヒータ制御装置。